(57)【要約】【構成】複数の録画モードのいずれか１つに従って記録媒体に圧縮録画された映像信号を、ＤＶＤ−ＲＡＭプレーヤ１２を内蔵したテレビジョン受像機１０で再生する場合、まずＣＰＵ２０は再生する映像信号の録画モードが高画質モード、標準モード、長時間モードのいずれのモードであるかを検出する。次に、検出した録画モードに応じて、ＣＰＵ２０はスイッチＳＷ１〜ＳＷ６を切り換えて、再生映像信号を処理する複数の再生処理手段の中から再生映像信号に最適な再生処理手段を有効化して再生を行なう。【効果】映像信号の種類に応じて最適な再生処理を行なうことができるので、高画質の映像を再生することができる。【選択図】  図１
2004248208.tif 000002
【特許請求の範囲】
【請求項１】
複数の録画モードのいずれか１つに従って記録媒体に録画された映像信号を再生する映像再生装置において、
再生映像信号の録画モードを検出するモード検出手段、
前記再生映像信号に再生処理を施す複数の再生処理手段、および
前記複数の再生処理手段の中から前記モード検出手段によって検出された録画モードに対応する１または２以上の再生処理手段を有効化する有効化手段を備えることを特徴とする、映像再生装置。
【請求項２】
前記再生映像信号を形成する輝度信号に輪郭強調を施す輪郭強調手段、および前記輪郭強調手段の強調特性を前記モード検出手段によって検出された録画モードに応じて変更する変更手段をさらに備える、請求項１記載の映像再生装置。
【請求項３】
前記再生映像信号を形成する輝度信号に含まれるノイズを除去するノイズ除去手段、および前記ノイズ除去手段の除去特性を前記モード検出手段によって検出された録画モードに応じて変更する変更手段をさらに備える、請求項１記載の映像再生装置。
【請求項４】
前記再生映像信号は、コンポジット映像信号、Ｙ／Ｃ分離信号、およびコンポーネント信号のいずれか１つである、請求項１ないし３のいずれかに記載の映像再生装置。
【請求項５】
請求項１ないし４のいずれかの記載の映像再生装置を備える、テレビジョン受像機。
【発明の詳細な説明】
【０００１】
【発明の属する技術分野】
この発明は、映像再生装置に関し、特にたとえば、ＤＶＤ−ＲＡＭプレーヤを内蔵したテレビジョン受像機に適用され、複数の録画モードのいずれか１つに従って記録媒体に録画された映像信号を再生する、映像再生装置に関する。
【０００２】
【従来技術】
従来、ＭＰＥＧ２方式で圧縮してＤＶＤ−ＲＡＭに録画されている映像を、ＤＶＤ−ＲＡＭプレーヤを内蔵するテレビジョン受像機によって再生する場合、映像の圧縮率とは無関係に、ＤＶＤ−ＲＡＭプレーヤからの映像信号をテレビジョン受像機内の同一の信号処理回路で処理して映し出していた。
【０００３】
【発明が解決しようとする課題】
しかし、ＤＶＤ−ＲＡＭプレーヤからの映像信号を圧縮率に関係なく同一の信号処理回路で再生すると、次のような問題があった。すなわち、映像信号の録画モードが高画質モードの場合、デジタルノイズが小さいにもかかわらず、デジタルノイズを減少させる処理が含まれているために映像の解像度を悪くするという問題があった。また、長時間モードの場合、画質を強調する処理が含まれていたので、デジタルノイズも強調されて目立つという問題があった。
【０００４】
それゆえに、この発明の主たる目的は、高画質の映像を再生することができる、映像再生装置を提供することである。
【０００５】
【課題を解決するための手段】
この発明は、複数の録画モードのいずれか１つに従って記録媒体に録画された映像信号を再生する映像再生装置において、再生映像信号の録画モードを検出するモード検出手段、再生映像信号に再生処理を施す複数の再生処理手段、および複数の再生処理手段の中からモード検出手段によって検出された録画モードに対応する１または２以上の再生処理手段を有効化する有効化手段を備えることを特徴とする映像再生装置である。
【０００６】
【作用】
複数の録画モードのいずれか１つに従って記録媒体に録画された映像信号を映像再生装置で再生するとき、モード検出手段によって再生映像信号の録画モードを検出する。さらに、映像信号を再生する複数の再生処理手段を備え、有効化手段によりこれらの再生処理手段の中から検出した録画モードに対応する１または２以上の再生処理手段を有効化して、映像信号を再生する。
【０００７】
また、この映像再生装置は、再生映像信号を形成する輝度信号の輪郭を強調する輪郭強調手段と、検出した録画モードに応じて輪郭強調手段の特性を変更する変更手段を備えていることが好ましい。
【０００８】
また、この映像再生装置は、再生映像信号を形成する輝度信号のノイズを除去するノイズ除去手段と、検出した録画モードに応じてノイズ除去特性を変更する変更手段を備えていることが好ましい。
【０００９】
好ましくは、再生映像信号は、コンポジット映像信号、Ｙ／Ｃ分離信号、コンポーネント信号のいずれか１つである。
【００１０】
好ましくは、映像再生装置はテレビジョン受信機である。
【００１１】
【発明の効果】
この発明によれば、記録媒体に録画された映像信号の録画モードに応じて最適な信号処理を行なうことができるので、録画モードによらず高画質の映像を再生することができる
この発明の上述の目的，その他の目的，特徴および利点は、図面を参照して行う以下の実施例の詳細な説明から一層明らかとなろう。
【００１２】
【実施例】
図１を参照して、このＤＶＤ−ＲＡＭプレーヤ１２を内蔵したテレビジョン受像機１０について説明する。ＤＶＤ−ＲＡＭプレーヤ１２は、映像信号をＭＰＥＧ２方式により所望の圧縮率で録画するとともに、録画された映像の再生時には、コンポジット端子からコンポジット映像信号（コンポジット映像信号）、Ｓ端子からＹ／Ｃ分離信号（Ｙ／Ｃ分離信号）、Ｄ端子からコンポーネント信号（コンポーネント信号）を同時に出力する。
【００１３】
このとき、ＣＰＵ２０はＤＶＤ−ＲＡＭプレーヤ１２によって再生される映像信号の録画モードが、高画質モード（ＸＰ）、標準モード（ＳＰ）、長時間モード（ＬＰまたはＥＰ）のいずれであるかをＤＶＤ−ＲＡＭプレーヤ１２から入手する。この録画モードと録画時間、録画時のビットレートとの関係について、４．７ＧＢのＤＶＤ−ＲＡＭの場合を例に取り、表１に示す。
【００１４】
【表１】
2004248208.tif 000003
【００１５】
ＣＰＵ２０は、ＤＶＤ−ＲＡＭプレーヤ１２から入手した録画モードが高画質モードのときはコンポーネント信号を、標準モードのときはＹ／Ｃ分離信号を、長時間モードのときはコンポジット映像信号をそれぞれ選択する。そして、以下で詳細に説明するように、ＣＰＵ２０は選択された映像信号に応じて最適な信号処理がされるように、テレビジョン受像機１０に設けられた各スイッチに対して切換指令を出す。
【００１６】
スイッチＳＷ１は、ＤＶＤ−ＲＡＭプレーヤ１２から端子Ｓ１に入力されたコンポジット映像信号と、端子Ｓ２に入力されたＹ／Ｃ分離信号を形成するＹ信号（輝度信号）のいずれかをＣＰＵからの指令に基づき選択してＹ／Ｃ分離回路１４に与える。
【００１７】
Ｙ／Ｃ分離回路１４は、スイッチＳＷ１から入力された信号がコンポジット映像信号の場合、Ｙ信号とＣ信号（色信号）に分離した後、Ｙ信号をスイッチＳＷ２の端子Ｓ４に与え、Ｃ信号をクロマデコーダに与える。また、スイッチＳＷ１から入力された信号がＹ／Ｃ分離信号を形成するＹ信号の場合、ノイズリダクション（ＹＮＲ）をした後にスイッチＳＷ２の端子Ｓ４に与える。
【００１８】
ＤＶＤ−ＲＡＭプレーヤ１２からＹ／Ｃ分離回路１４に直接入力されたＹ／Ｃ分離信号を形成するＣ信号は、Ｙ信号が入力されてから出力されるまでの時間に対応して遅延させられた後、クロマデコーダ２６に与えられる。ここで、Ｙ／Ｃ分離回路１４に接続されたメモリ１６は、１フィールド前の映像信号を保持してＣ信号を分離したり、ノイズ成分を分離したりするときに使用される。なお、Ｙ／Ｃ分離回路１４の動作の詳細については後で説明する。
【００１９】
スイッチＳＷ２は、Ｙ／Ｃ分離回路１４から端子Ｓ４に与えられたＹ信号と、ＤＶＤ−ＲＡＭプレーヤ１２から直接端子Ｓ３に与えられかつコンポーネント信号を形成するＹ信号のいずれかのＹ信号をＣＰＵからの指令に基づき選択して画質補正回路１８に与える。
【００２０】
画質補正回路１８は、ＣＰＵ２０によって選択された映像信号を形成するＹ信号に対して、ランダムノイズ、ブロックノイズなどのノイズリダクションを行なうコアリング処理、映像の輪郭を強調するピーキング処理およびＹ信号の立ち上がり／立下りを改善するＬＴＩ（Ｌｕｍｉｎｏｕｓ  Ｔｒａｎｓｆｏｒｍ  Ｉｍｐｒｏｖｅｍｅｎｔ）処理などの画質補正を行なった後、Ｙ信号処理回路２４に与える。この画質補正回路１８の補正特性は、Ｄ／Ａ変換器２２によって与えられる電圧値で制御することができる。このため、ＣＰＵ２０は映像信号の種類に応じて最適な画質補正ができるように、最適な電圧値を示すデータをＤ／Ａ変換器２２に与える。なお、画質補正回路１８の動作の詳細については後で説明する。
【００２１】
ここで、ブロックノイズについて説明する。ＭＰＥＧ２圧縮の基礎となっているＪＰＥＧ圧縮では、８画素×８画素のブロック単位で圧縮処理を行なう。このとき、隣り合うブロック間で量子化の近似精度の差異が大きい場合、復元した画像にブロック形状のノイズとして見えるノイズをブロックノイズという。
【００２２】
Ｙ信号処理回路２４は、画質補正されたＹ信号にガンマ補正、黒伸長などの処理を行った後、マトリクス回路２８に与える。
【００２３】
一方、クロマデコーダ２６は、Ｙ／Ｃ分離回路１４から出力されたＣ信号から（Ｒ−Ｙ）信号と（Ｂ−Ｙ）信号を復調し、（Ｒ−Ｙ）信号はスイッチＳＷ３の端子Ｓ５に与え、（Ｂ−Ｙ）信号はＳＷ４の端子Ｓ７に与える。
【００２４】
また、ＤＶＤ−ＲＡＭプレーヤ１２から出力されるコンポーネント信号のＣｒ信号、Ｃｂ信号（色差信号）は、それぞれスイッチＳＷ３の端子Ｓ６、スイッチＳＷ４の端子Ｓ８に与えられる。
【００２５】
スイッチＳＷ３は、クロマデコーダ２６からの（Ｒ−Ｙ）信号とＤＶＤ−ＲＡＭプレーヤ１２からのＣｒ信号のいずれかを、ＣＰＵ２０からの指令に基づき選択してマトリックス回路２８に与える。同様にスイッチＳＷ４は、クロマデコーダ２６からの（Ｂ−Ｙ）信号とＤＶＤ−ＲＡＭプレーヤ１２からのＣｂ信号のいずれかを、ＣＰＵ２０からの指令に基づき選択してマトリックス回路２８に与える。
【００２６】
マトリクス回路２８は、Ｙ信号処理回路２４から入力されたＹ信号と、Ｃｒ信号およびＣｂ信号、または（Ｒ−Ｙ）信号および（Ｂ−Ｙ）信号とから、Ｒ、Ｇ、Ｂ信号を生成し、ＲＧＢデコーダ３０に与える。
【００２７】
ＲＧＢデコーダ３０は、Ｒ、Ｇ、Ｂ信号のブライトネス、コントラストなどの調整をした後、ＣＲＴドライブ回路３２に与える。ＣＲＴドライブ回路３２はＲ、Ｇ、Ｂ信号を増幅してＣＲＴ３４に与え、ＣＲＴ３４に映像を映し出す。
【００２８】
次に、図２を参照して、Ｙ／Ｃ分離回路１４の主要部の動作について詳細に説明する。このＹ／Ｃ分離回路１４に入力される映像信号は、ＣＰＵ２０によって選択されたコンポジット映像信号、またはＹ／Ｃ分離信号を形成するＹ信号およびＣ信号である。
【００２９】
まず、コンポジット映像信号が入力された場合について説明する。コンポジット映像信号はＹ／Ｃ分離回路１４の入力端子に入力されると、Ａ／Ｄ変換器４０でアナログ信号からデジタル信号に変換される。次に、このコンポジット映像信号に基づいて、ラインメモリ４２で０Ｈ、１Ｈ、２Ｈ遅延された信号をラインコムフィルタ４８に与える。ラインコムフィルタ４８は、これらのコンポジット映像信号から動画の色信号であるＣ１信号を分離し、スイッチＳＷ５の端子Ｓ９に与える。そして、ＣＰＵ２０からの指令に基づきこのＣ１信号が選択されると、Ｃ１信号はミックス回路の第１比率制御回路５６に入力される。
【００３０】
また、コンポジット映像信号を１Ｈ遅延させた信号と、メモリ４６に保持されていた１フレーム前のコンポジット映像信号を、さらにラインメモリ４４で１Ｈ遅延させることによって５２６Ｈ遅延させたコンポジット映像信号をフレームコムフィルタ５０に与える。フレームコムフィルタ５０は、１Ｈ遅延したコンポジット映像信号から５２６Ｈ遅延したコンポジット映像信号を減算して静止画の色信号であるＣ２信号を分離する。このＣ２信号は、ディレイ回路５２を通ってミックス回路５４の第２比率制御回路５８に入力される。
【００３１】
次に、ミックス回路５４は、動き検出回路６２から与えられた動き係数Ｋ（０から１）に基づいて、Ｃ１信号とＣ２信号を加算器６０により比率ミックスを行なってＣ信号を生成し、スイッチＳＷ６の端子Ｓ１１に与える。そして、ＣＰＵからの指令に基づきこのＣ信号が選択された場合、Ｃ信号はＤ／Ａ変換器７２でアナログ信号に変換されて出力される。
【００３２】
また、Ａ／Ｄ変換器４０でデジタル信号に変換されたコンポジット映像信号はラインメモリ４２で１Ｈ遅延させられた後、ディレイ回路６８を通って減算器６６に与えられる。減算器６６は、このコンポジット映像信号から加算器６０の出力であるＣ信号を減算することによってＹ信号を生成し、Ｄ／Ａ変換器７０によってＹ信号をデジタル信号からアナログ信号に変換した後に出力する。このようにして、コンポジット映像信号からＹ信号とＣ信号とが分離される。
【００３３】
次に、Ｙ／Ｃ分離信号を形成するＹ信号のノイズリダクションについて説明する。Ｙ／Ｃ分離回路１４に入力されたＹ信号をＡ／Ｄ変換器４０によってアナログ信号からデジタル信号に変換した後、ラインメモリ４２によって１Ｈ遅延させたＹ信号を生成する。また、メモリ４６に保持されていた１フレーム前のＹ信号をさらに１Ｈ遅延させることによって５２６Ｈ遅延させたＹ信号を生成する。この２つのＹ信号をフレームコムフィルタ５０で減算することによりノイズ成分を分離する。この分離されたノイズ成分はディレイ回路５２を通ってミックス回路５４の第２比率制御回路５８に入力される。
【００３４】
一方、ＳＷ５はＣＰＵ２０からの指令に基づいてゼロ信号発生器６４に接続され、ＳＷ５の端子Ｓ１０からゼロ信号が第１比率制御回路５６に入力される。このため、ノイズ成分は比率ミックスされることなく加算器６０を通って減算器６６に与えられる。一方、Ｙ／Ｃ分離回路１４の入力端子から入力されたＹ信号はＡ／Ｄ変換器４０でデジタル信号に変換された後、ラインメモリ４２によって１Ｈ遅延させられ、さらにディレイ回路６８を通って、減算器６６に入力される。そして、Ｙ信号は、減算器６６でノイズリダクションのために加算器６０から与えられるノイズ成分が減算された後、Ｄ／Ａ変換器７０でデジタル信号に変換されて出力される。
【００３５】
また、Ｙ／Ｃ分離信号を形成するＣ信号は、Ｃ信号入力端子から与えられると、Ａ／Ｄ変換器７４でデジタル信号に変換された後、ラインメモリ７６によって１Ｈ遅延させられる。さらに、Ｃ信号はＹ信号の遅延時間と合わせるためにディレイ回路７８で遅延させられた後、スイッチＳＷ６の端子Ｓ１２に与えられる。そして、ＣＰＵ２０からの指令に基づき、端子Ｓ１２が選択されると、このＣ信号が出力される。
【００３６】
以上説明したように、ＣＰＵ２０が映像信号の録画モードに応じて図１および図２のスイッチをどのように切り替えるかについて下記の表２にまとめる。
【００３７】
【表２】
2004248208.tif 000004
【００３８】
次に、図３を参照して、画質補正回路１８の主要部の動作について詳細に説明する。画質補正回路１８に入力された映像信号を形成するＹ信号は、輪郭信号抜取り回路８０で輝度変化のある部分が輪郭部分として抜き出された後、波形整形回路８２で整形される。ディレイライン８４で遅延したＹ信号とディレイライン８４を通らないＹ信号とが、大振幅用コアリング回路８６と小振幅用コアリング回路９６に与えられる。
【００３９】
大振幅用コアリング回路８６を通った大振幅部分は、輪郭補正信号作成回路８８に入力されて、輪郭補正信号が生成される。この輪郭補正信号は直接利得制御回路９０に入力されとともに、微分回路９２を通って利得制御回路９０に入力される。この利得制御回路９０は、Ｙ信号の大振幅部分の立上りまたは立下り特性を急峻にするＬＴＩ処理を行なう。
【００４０】
一方、小振幅用リミッタ回路９６は、ディレイライン８４を通った信号と通らない信号とを合成してリミッタ増幅する。リミッタ増幅された小振幅部分は、小振幅用コアリング回路９８でブロックノイズなどの小信号がコアリング処理により除去されて、輪郭強調信号となる。この輪郭強調信号は、さらに利得制御回路１０２に入力されて小振幅信号のエッジ部分を鋭くさせるピーキング処理を行なう。
【００４１】
このとき、ＣＰＵ２０は各回路に対して選択した映像信号の種類に応じた最適なＬＴＩ、コアリング、ピーキングの各処理を行なわせるため、それぞれＬＴＩ制御回路９４、コアリング制御回路１００、ピーキング制御回路１０４によって補正特性を制御する。
【００４２】
次に、利得制御回路９０からの輪郭補正信号と利得制御回路１０２からの輪郭強調信号を、加算器１０６で輪郭補正された輪郭強調信号を合成した後、利得制御回路１０８を通って加算器１１０に与える。そして、この加算器１１０で、輪郭補正された輪郭強調信号と、画質補正回路１８に入力されディレイライン１１２で遅延されたＹ信号とを合成することにより画質補正がされたＹ信号が得られる。
【００４３】
次に、図４を参照して、画質補正回路１８の小振幅用コアリング回路９８でＹ信号をコアリング処理してノイズリダクションを行なう場合について説明する。図４（Ａ）は、映像信号がコンポーネント信号（高画質モード）のＹ信号の場合で、ブロックノイズとランダムノイズを２本の点線で挟んでノイズリダクションを行ない、映像信号を残すことを示している。
【００４４】
また、図４（Ｂ）は、映像信号がコンポジット映像信号（長時間モード）から分離されたＹ信号の場合に、図の場合と同様にしてランダムノイズとブロックノイズのノイズリダクションを行なうことを示している。このとき、図４（Ａ）の場合は、高画質モードなのでブロックノイズが小さいためコアリングを浅くする（２本の点線の間隔を狭くする）ことができるが、図４（Ｂ）の場合は、長時間モードなのでブロックノイズが大きいため、コアリングを深く（２本の点線の間隔を広くする）しなければブロックノイズを除去することができない。
【００４５】
また、図５を参照して、画質補正回路１８でＹ信号のエッジを強調するシャープネス処理を行なう場合、すなわち利得制御回路１０４でＹ信号のピーキング処理を行ない、利得制御回路９０でＬＴＩ処理を行なう場合について説明する。Ｙ信号は、図５（Ａ）に示すように小振幅部分と大振幅部分とからなり、Ｙ信号全体にブロックノイズがのっている。この小振幅部分の両端にピークを形成するピーキング処理を行ない、大振幅部分の立上りの角度を急峻にするＬＴＩ処理を行なう場合について説明する。
【００４６】
図５（Ｂ）を参照して、映像信号がコンポーネント信号を形成するＹ信号の場合について説明する。この場合は、高画質モードなので映像信号に含まれているブロックノイズは小さい。このため、小振幅部分のピーキング処理をしてもブロックノイズが目立つほど増幅されないので、ピーキング処理によりブロックノイズを目立たせることなく、映像の解像度を上げることができる。
【００４７】
次に、映像信号がコンポジット映像信号を形成するＹ信号の場合について説明する。この場合、長時間モードなので映像信号には大きなブロックノイズが含まれている。このため、高画質モードの場合と同様にピーキング処理を行なうと、ブロックノイズも大きくなって画質が劣化する。したがって、図５（Ｃ）に示すように、ピーキングの大きさを抑えて、ブロックノイズもあまり目立たなくする必要がある。
【００４８】
以上説明したように、Ｙ／Ｃ分離回路１４における処理、画質補正回路１８におけるコアリング処理、シャープネス処理（ピーキング処理およびＬＴＩ処理）において、映像信号の録画モードに応じた最適な画質補正の条件をまとめて表３に示す。
【００４９】
【表３】
2004248208.tif 000005
【００５０】
次に、図６を参照して、ＤＶＤ−ＲＡＭに録画されている映像の録画モード情報に基づいて、ＣＰＵ２０が映像信号の処理を行なう場合のフローについて説明する。まず、ステップＳ１でＤＶＤに録画されている映像信号の録画モード情報をＤＶＤ−ＲＡＭから入手する。次に、ステップＳ３でＤＶＤ−ＲＡＭから入手した録画モード情報に基づいて、映像信号の録画モードが高画質モードかどうかを判断する。そして、高画質であると判断した場合、ステップＳ５で、スイッチＳＷ２を端子Ｓ３に、ＳＷ３を端子Ｓ６に、ＳＷ４を端子Ｓ８にそれぞれ接続する。そして、ステップＳ７でコアリングを浅く（小）した後、ステップＳ９でシャープネスを強調（大）する。
【００５１】
また、ステップＳ３で映像信号の録画モードが高画質モードではないと判断した場合、次にステップＳ１１で標準画質かどうかを判断する。その結果、標準画質と判断した場合は、ステップＳ１３で、ＳＷ１を端子Ｓ２に、ＳＷ２を端子Ｓ４に、ＳＷ３を端子Ｓ５に、ＳＷ４を端子Ｓ７に、ＳＷ５を端子Ｓ１０に、ＳＷ６を端子Ｓ１２にそれぞれ接続する。そして、ステップＳ１５で中程度のコアリングを行なった後、ステップＳ１７で中程度のシャープネスを行なう。
【００５２】
また、ステップＳ１１で映像信号の録画モードが標準モードではないと判断した場合、次にステップＳ１９で長時間モードかどうかの判断を行う。その結果、長時間モードと判断した場合は、ステップＳ２１で、ＳＷ１を端子Ｓ１に、ＳＷ２を端子Ｓ４に、ＳＷ３を端子Ｓ５に、ＳＷ４を端子Ｓ７に、ＳＷ５を端子Ｓ９に、ＳＷ６を端子Ｓ１１にそれぞれ接続する。そして、ステップ２３でコアリングを深く（大）した後、ステップＳ２５でシャープネスを抑える（小）。
【００５３】
また、ステップＳ１９で長時間モードではないと判断した場合には、高画質モードかどうかを判断するステップＳ３に戻る。
【００５４】
以上の説明からわかるように、ＤＶＤ−ＲＡＭなどの記録媒体に圧縮録画された映像信号を、ＤＶＤ−ＲＡＭプレーヤ１２を内蔵したテレビジョン受像機１０で再生する場合、まずＣＰＵ２０は再生する映像信号の録画モードが高画質モード、標準モード、長時間モードのいずれのモードであるかを検出する。次に、検出した録画モードに応じて、ＣＰＵ２０はスイッチＳＷ１〜ＳＷ６を切り換えて、再生映像信号を処理するＹ／Ｃ分離回路１４、マトリクス回路２８などの複数の再生処理手段の中から再生映像信号に最適な再生処理手段を有効化する。このため、映像信号の種類に応じて最適な再生処理を行なうことができるので、高画質の映像を再生することができる。
【００５５】
再生映像信号を形成する輝度信号に、画質補正回路１８の利得制御回路９０および１０２でピーキング処理、ＬＴＩ処理などの輪郭強調を行なう。このとき、ＣＰＵ２０は、検出した録画モードに応じてこれらの回路の強調特性を変更する。このため、録画モードに応じて最適な輪郭強調を行なうことができる。
【００５６】
再生映像信号を形成する輝度信号に含まれるノイズを、画質補正回路１８の小振幅用コアリング回路９８で除去する。このとき、ＣＰＵ２０は、検出した録画モードに応じて小振幅用コアリング回路９８のノイズ除去特性を変更する。このため、録画モードに応じて最適なノイズ除去を行なうことができる。
【００５７】
なお、この実施例ではデジタルノイズの一例としてブロックノイズについて説明したが、エッジなどのまわりに蚊が飛んでいるように見えるモスキートノイズについてもブロックノイズの場合と同様に処理することができる。
【００５８】
また、この実施例のテレビジョン受像機はＤＶＤ−ＲＡＭプレーヤを内蔵しているとして説明したが、ＤＶＤ−ＲＡＭプレーヤを接続したテレビジョン受像機であってもよい。
【図面の簡単な説明】
【図１】この発明の一実施例を示すブロック図である。
【図２】図１実施例の一部を示すブロック図である。
【図３】図１実施例の他の一部を示すブロック図である。
【図４】図１実施例のコアリング処理を示す図解図である。
【図５】図１実施例の画質補正を示す図解図である。
【図６】図１実施例の動作を示すフロー図である。
【符号の説明】
１０…テレビ受像機
１２…ＤＶＤ−ＲＡＭデコーダ
１４…Ｙ／Ｃ分離回路
１８…画質補正回路
２０…ＣＰＵ
【図１】
2004248208.tif 000006
【図２】
2004248208.tif 000007
【図３】
2004248208.tif 000008
【図４】
2004248208.tif 000009
【図５】
2004248208.tif 000010
【図６】
2004248208.tif 000011